(57)【要約】      （修正有）【課題】保温収納袋を収納物の保冷機能と、外部に触れて感性を重視する感性機能とに区分させ、夫夫の機能を一層向上させる保温収納袋を提供する。【解決手段】発泡合成樹脂製の柔軟性内袋と、合成樹脂、紙製等の柔軟性外袋Ｙとで成し、前記柔軟性内袋は、上下辺及び左右辺にて成した柔軟性の四辺形シート主部とで成し、且つこの四辺形シート主部は、上下辺の中央部分で、而も互いに一定長さ切り込まれた上下の平行スリットを有し、前記柔軟性外袋は、前記柔軟性内袋を上下の平行スリット間の連接中間部を中心に前記左右辺を夫夫カールした状態にて収納し、且つ収納状態においてカールが開放され、その復元力にて開くと共に、外袋の内面に沿って形成された筒状収納空洞部Ｚとで成したことを特徴とする。【選択図】図２
0003171208.tif 000002
【実用新案登録請求の範囲】
【請求項１】
発泡合成樹脂製の柔軟性内袋と、合成樹脂、紙製等の柔軟性外袋とで成し、前記柔軟性内袋は、上下辺及び左右辺にて成した柔軟性の四辺形シート主部とで成し、且つこの四辺形シート主部は、上下辺の中央部分で、而も互いに一定長さ切り込まれた上下の平行スリットを有し、前記柔軟性外袋は、前記柔軟性内袋を上下の平行スリット間の連接中間部を中心に前記左右辺を夫々カールした状態にて収納し、且つ収納状態においてカールが解放され、その復元力にて開くと共に、外袋の内面に沿って形成された筒状収納空洞部とで成したことを特徴とする保温収納袋。
【請求項２】
前記柔軟性内袋は、内外面の何れか一面に金属蒸着層を形成したことを特徴とする請求項１記載の保温収納袋。
【請求項３】
前記柔軟性内袋は、内外両面に金属蒸着層を形成したことを特徴とする請求項１記載の保温収納袋。
【請求項４】
前記柔軟性外袋は、上部収納口にベルトを位置させ、該上部収納口を、ベルトを中心に折り重ねて巻き付けると共に、封止したことを特徴とする請求項１〜３の何れか１記載の保温収納袋。
【請求項５】
前記柔軟性外袋は、上部収納口にベルトを熱溶着させ、該上部収納口を、ベルトを中心に折り重ねて巻き付けると共に、封止したことを特徴とする請求項１〜４の何れか１記載の保温収納袋。
【考案の詳細な説明】
【技術分野】
【０００１】
本考案は食品を一定の保冷、保温状態に指向維持する保温収納袋に関する。
【背景技術】
【０００２】
この種、保温収納袋として熱が伝導や対流、更には放射によって伝わるこ
とを阻止する上で、下記文献１，２が存在する。
【先行技術文献】
【特許文献】
【０００３】
【特許文献１】実開平６−６１１２４・・・文献１
【特許文献２】特開平１１−２０８７１・・文献２
【考案の概要】
【考案が解決しようとする課題】
【０００４】
然しながら、先ず文献１は、単に合成樹脂製シートにて形成されたものであり、熱伝導や、対流、更には熱放射によって収納品への影響等の配慮がさほど施されていない。
【０００５】
更に、文献２は、確かに収納品への保冷、保温を配慮しているが、この文献２については、熱可塑性合成樹脂発泡シート、フイルム、基材フイルム、更には金属蒸着層等を単に多数積層している。
即ち、収納物の保冷機能と、外部に触れて感性を重視するバックである外袋とは、多数の積層部材にて一体に構成されているから、夫々の機能の高めるためには、限界が生じる。
【０００６】
特に近時、店頭にて購入した食品は自宅、その他の場所に持ち運ぶ社会現象は欠かせない。
従って、単に製造元から販売店に大量搬送されるルートとは異なり、包装バックについても、ファッション性、即ち感性を尊ばれる。
例えば、保冷の機能について柔軟性で、而も断熱性を追及する材料となれば、一般的に発泡系樹脂となり、表面の凹凸により、印刷等の色彩仕上げには適しない。
【０００７】
勿論、金属蒸着層等による保冷機能については、確かに熱放散（熱反射）には期待できるが、熱伝導に対しては不適である。
【０００８】
保温収納袋を収納物の保冷機能と、外部に触れて感性を重視する感性機能とに区分させて、夫々の機能アップを一層の向上させることとした。
【課題を解決するための手段】
【０００９】
本考案では、発泡合成樹脂製の柔軟性内袋と、合成樹脂、紙製等の柔軟性外袋とで成し、前記柔軟性内袋は、上下辺及び左右辺にて成した柔軟性の四辺形シート主部とで成し、且つこの四辺形シート主部は、上下辺の中央部分で、而も互いに一定長さ切り込まれた上下の平行スリットを有し、前記柔軟性外袋は、前記柔軟性内袋を上下の平行スリット間の連接中間部を中心に前記左右辺を夫々カールした状態にて収納し、且つ収納状態においてカールが解放され、その復元力にて開くと共に、外袋の内面に沿って形成された筒状収納空洞部とで成したことを特徴とするものである。
【００１０】
更に本考案は、柔軟性内袋を内外面の何れか一面に金属蒸着層を形成したことを特徴とするものである。
又本考案は、柔軟性内袋を内外両面に金属蒸着層を形成したことを特徴とするものである。
【００１１】
更に本考案は、柔軟性外袋の上部収納口にベルトを位置させ、該上部収納口を、ベルトを中心に折り重ねて巻き付けると共に、封止したことを特徴としたものである。
【００１２】
又本考案は、柔軟性外袋の上部収納口にベルトを熱溶着させ、該上部収納口を、ベルトを中心に折り重ねて巻き付けると共に、封止したことを特徴とするものである。
【考案の効果】
【００１３】
（１）請求項１により、発泡合成樹脂製の柔軟性内袋の要所に施したスリット部を基点としてカールすることによって筒状空洞部を画一的に作ることによって収納物の正面から側面に連続して収納物輪郭に沿って立体的に折り畳め、全方位に包み込み易く収納する事が出来る。
【００１４】
また作業者が四辺形シートを容易に立体内袋へと安定した寸法に畳む事が可能となる。
【００１５】
また、発泡樹脂製の柔軟性内袋は肉厚のあるものにすることができるから断熱層とすることが出来る。
この内袋を外袋と分離して構成されることによって外袋単独での加工が可能となり、量産に対応できる。
【００１６】
（２）請求項２により、前記柔軟性内袋は内面、外面の区別は無く一面に金属蒸着を形成することにより、輻射熱を遮断し、且つデザイン性に劣る量産性蒸着面を外部から見えないように出来、デザイン性が向上される。
【００１７】
（３）請求項３により、前記柔軟性内袋は内面、外面の両面に金属蒸着層を形成することにより、いっそうの保冷効果が期待出来る。
【００１８】
（４）請求項４により、外袋の上部収納口を封止することによって外袋に外圧や衝撃が発生しても内部の冷気が外部へ漏れ難くする効果が期待出来る。
また、上部収納口を折り重ねて巻き付けることによって発泡合成樹脂製の柔軟内袋を筒状収納空洞部とした場合に収納物の天井部も同時に包み込み、天井部の断熱効果が期待出来る。
【００１９】
（５）請求項５により、簡単にベルトが備えられる。
【考案を実施するための形態】
【００２０】
以下本考案を実施形態の図面に基づいて説明する。
図１は保温収納袋を示す斜視図であって、図２に示す如く、発泡合成樹脂製の柔軟性内袋Ｘと合成樹脂、紙製等の柔軟性外袋Ｙとで成している。
柔軟性内袋Ｘは発泡ポリシート製として、熱伝導防止を考慮しており、且つ内外面の少なくとも一面に金属蒸着層Ｘａを形成している。
この金属蒸着層Ｘａは、放射防止を考慮しており、アルミ蒸着フィルムを使用し、より断熱効果を向上させている。
【００２１】
勿論、金属蒸着層Ｘａは両面に形成してもよく、夫々３層の間にも更に伝導防止手段として空気層が介在することとなる。
更に、図３に示す如く、柔軟性内袋Ｘは上辺１ａ、下辺１ｂ及び左辺１ｃ、右辺１ｄにて成した四辺形シート主部１とで成している。
【００２２】
この四辺形シート主部１は、上下辺１ａ、１ｂの中央平面部２で、而も互いに一定長さＳ切り込まれた上下の平行スリット３にて形成された連接中間部４を中心に前記左右辺１ｃ、１ｄを図４、５に示す如く、夫々を指先にてカールし、柔軟性外袋Ｙの上部の収納口５から収納し、指先の保持を開放すれば、柔軟性内袋Ｘの復元力によって開くと共に、外袋Ｙの内面Ｙａに沿って筒状収納空洞部Ｚを形成し、食品Ｆを収納する。
而して、外袋Ｙの内面に沿って封止用の合成樹脂製のベルト６を備えている。
【００２３】
具体的には、上部の収納口５の両辺５ａ、５ｂを重合し、任意の一辺５ａに形成されたスリーブ７にベルト６を挿入し、そのベルト６の両端に設けられた係合爪８と係合孔９とを相互に引掛け係合している。
尚、他辺５ｂにはベルト６と同種の合成樹脂製補強用ベルト１０が取着されており、両ベルト６、１０が重合する。
勿論、ベルト６は外袋Ｙに熱溶着してもよい。
（使用順）
【００２４】
次に本考案保温収納袋の使用順序を説明すると、先ず図３に示す柔軟性内袋Ｘを構成する四辺形シート主部１の左右辺１ｃ、１ｄを図４、５に示す如く、夫々を指先にてカールする。
続いて、このカールした状態にて、図６に示す如く外袋Ｙの内面Ｙａに沿って挿入した後、指先の保持を開放すれば、その復元力にて四辺形シート主部１が広がり、外袋Ｙの内面Ｙａに沿って筒状収納空洞部Ｚを形成し、食品Ｆを収納することとなる。
その後、図８に示す如く、外袋Ｙの収納口５の両辺５ａ、５ｂを補強用ベルト１０の位置にて重合し、ベルト６の係合爪８を係合孔９に引掛け係合して、図９に示す状態とする。
【図面の簡単な説明】
【００２５】
【図１】保温収納袋の斜視図
【図２】同上の食品を収納した状態を示す斜視図
【図３】柔軟性内袋の展開図
【図４】保温収納袋の組立使用順序図
【図５】保温収納袋の組立使用順序図
【図６】保温収納袋の組立使用順序図
【図７】保温収納袋の組立使用順序図
【図８】保温収納袋の組立使用順序図
【図９】保温収納袋の組立使用順序図
【符号の説明】
【００２６】
Ｘ    柔軟性内袋
Ｘａ  金属蒸着層
Ｙ    柔軟性外袋
Ｚ    筒状収納空洞部
Ｆ    食品
１    四辺形シート主部
２    中央平面部
３    平行スリット
４    連接中間部
５    収納口
６    ベルト
７    スリーブ
８    係合爪
９    係合孔
１０  補強用ベルト
【図１】
0003171208.tif 000003
【図２】
0003171208.tif 000004
【図３】
0003171208.tif 000005
【図４】
0003171208.tif 000006
【図５】
0003171208.tif 000007
【図６】
0003171208.tif 000008
【図７】
0003171208.tif 000009
【図８】
0003171208.tif 000010
【図９】
0003171208.tif 000011